(57)【特許請求の範囲】
【請求項１】
パフを収容するの凹部と化粧料を充填した中皿を収容する筒状部とを設けた中枠体を外殻体内に嵌合して固定すると共に、前記中皿の内周面に網皿受け部材を慴動可能に嵌合して、該網皿受け部材にメッシュ体を張設した網皿を押圧降下が可能で着脱自在に係合して構成した容器本体に、前記中枠のパフ収容凹部と対向した面には鏡を備えた平坦な天蓋部を設け、中皿収容筒状部と対向した面には網皿面を押圧する押圧部材を慴動可能に設けてなる中蓋を外蓋内面に嵌合固定して構成した蓋体を、ヒンジを介して開閉可能に連結してなる化粧用容器にして、前記中皿と網皿受け部材との間の慴動を制止する手段を設けたことを特徴とする粉末化粧用コンパクト容器。
【請求項２】
前記パフ収容凹部と中皿収容筒状部とを設けた中枠体と外殻体とを一体成形としたことを特徴とする請求項１に記載する粉末化粧用コンパクト容器。
【請求項３】
前記網皿受け部材を制止する手段として、中皿の縁近傍の内周壁面に突状部を設けて、網皿受け部材を該突状面上に嵌合したことを特徴とする請求項１又は２に記載する粉末化粧用コンパクト容器。
【請求項４】
前記突状部は、中皿の内面に複数の突起を適当な間隔で突出させて設けたことを特徴とする請求項３に記載する粉末化粧料容器。
【請求項５】
前記網皿受け部材を制止する手段として、網皿受け部材の上面外隅角部に舌片を外開きに設けて、該網皿受け部材を中皿の内周面に嵌合したことを特徴とする請求項１に記載する粉末化粧用コンパクト容器。
【請求項６】
前記容器本体は、パフを収容する凹部と中皿を嵌合する筒状部とが一体成形された中枠体の外周縁部に設けた平坦縁部と垂直係合片を深皿形状をした外殻体の周縁部に係合すると共に、筒状部の下端係合縁部を外殻体の底面に設けた支持片に係合せしめて固定してなることを特徴とする請求項１乃至５に記載する粉末化粧料容器。
【請求項７】
前記蓋体に設けられた押圧部材は、中蓋の中皿収容部と対向した面に設けられた筒状部の内周面に複数の係合溝が形成され、該係合溝に押圧部材の外周面に形成された複数の係合凸部を係合すると共に、外蓋内面と押圧部材底面との間に弾性反発体を付勢可能に設けられて押圧部材が慴動可能に保持されてなることを特徴とする請求項１乃至６に記載する粉末化粧料容器。
【請求項８】
前記蓋体に設けられた押圧部材を保持する筒状部の外周部に環状の凹溝が形成され、該凹溝内に設けられた弾性シール部材により、バージンフィルム及び中皿のフランジ面を密閉するように蓋体を構成したことを特徴とする請求項１乃至７に記載する粉末化粧料容器。
【発明の詳細な説明】
【０００１】
【発明の属する技術分野】
本発明は、粉末の化粧料を収容した携帯用コンパクト容器に関するものであり、特に、コンパクト容器の内部に設けられた中皿に収容した粉末化粧料の表面に接する網皿全体を平らに保ちつつ、化粧料を最後まで均一に使用することができるようにした粉末化粧用コンパクト容器に係わるものである。
【０００２】
【従来の技術】
従来から使用されている粉末化粧料を収容したコンパクト容器は、円形又は四角形のやや深皿状をした小型の蓋付き容器の内部に充填した粉末化粧料の上面には網皿が設けられ、該網皿の上には化粧パフが載置されたものが一般的であり、このようなコンパクト容器を用いて化粧をするには、容器の蓋部を開いて指先に取ったパフを、網皿の上から下方に押し付けて網皿の網目から化粧料を浮き出させて、パフに必要量だけ化粧料を付着させて使用していた。
【０００３】
しかし、このような化粧料容器では、網皿は化粧料を充填した中皿の上部縁に固定されて張設されているので、使用時には網皿面がパフにより繰り返し化粧料面に強く押し付けられるので、網皿が粉末化粧料中に埋没して、特に、化粧料を入れた中皿の中央部分のみが窪んでしまい、化粧料を最後まで均一に使い切ることが困難なものであった。
また、このような化粧料容器は持ち歩いたり、運搬したりする最中の振動によって、中皿に収容する化粧料の粉末が流動して片寄ったり、網目から飛び散ったりして、網皿の機能が充分に果たせないことがあった。
【０００４】
そこで、パフでの押圧により網皿の中央部のみが粉末化粧料中に埋没したり、粉末化粧料面は中央部分のみが窪むのを防止するために、パフによる押圧力で網皿の全面が下方へ移動するようにして、化粧料面に網皿及びパフが平坦に接触可能にした考案として、実公昭６２−１４９７３号公報に示すように、網皿を平らに保持した枠体の周縁下部に可撓性突片を設けて、網皿がパフで押圧されると網皿全体がそのまま下方へ移動するようにしたものや、実開昭５７−１６１９０８号に示すように、網皿の外周部に設けた厚手縁部を中皿の周囲に配置した嵌着部に伸縮体により連結した網皿が上下に移動することができるようにしたもの等が知られている。
【０００５】
しかし、これ等の考案の容器に設けられた網皿は、パフを化粧料面に押圧する度に網皿自体が全体的に押し下げられた後、再び引き上げるための弾性突片や伸縮体が設けられていて、使用の度毎に網皿は往復動するものであるから、網皿の構造が複雑になり、費用もかかるものである。
更に、網皿を押し下げるためにはパフを網皿にやや強く押し付けなければならず、網皿に負担がかかるので傷みやすく、また、パフへの粉末化粧料の付着量を調整するのがむづかしくなり、余分に粉末が付着した場合には払い落さねばならず、更には、パフの使用感が悪くなったり、損ねたりする等の問題があった。
【０００６】
次に、使用により化粧料が減少すると、網皿が中皿の内周に沿って下降させてネット面が化粧料面に接触するように改良して、常時、化粧料が取り出せる位置に網皿を保持するようにしたものとして、図８に示すようなものが考えられているが、これはネット支持枠７ａを中皿６の内周面に慴動可能に設けて、指先に持ったパフｐにより網皿７表面を押圧している時には、ネット支持枠７ａを下降させることはできるが、網皿面はパフｐを介して指先で押圧されるので中央部近くが押圧されて、縁近くは押圧されにくいので、パフを離して蓋Ｂを閉じて持ち歩いている時には、化粧料ｋ面が常に平らに保たれてネット７面と接触するとは限らないし、また、この考案は、粘稠性の化粧料を対象としたものであり、粉末化粧料に適用できるものではない。（実公平６−１０９０２号公報参照）
【０００７】
そこで、本発明者等は、図５に示すように、楕円形の深皿状をした容器本体Ａ内に収容した化粧料ｋを充填した中皿６の内周面に環状の網皿受け体６ａを慴動可能に嵌合して設け、該網皿受け体にメッシュ体７ｂを張設した網皿７を下降可能で着脱自在に嵌合して設けると共に、蓋体Ｂに設けた押圧部材８を弾性部材９により網皿７に対して押圧するように設けられており、蓋体Ｂが閉じられている時にも、網皿７は押圧部材８により常に化粧料ｋ面に平坦に接するように押圧されていて、容器の運搬中に化粧料が流動攪拌して流出することがないようにした発明を提案している。
しかし、上記発明の容器に於ける中皿６の内周面と網皿受け体６ａ外周面との嵌合状態は、図６に示すように、網皿受け体６ａの表面が中皿６の平滑な内周面に慴動し易いように互いに平面接触しているだけであるから、容器の運搬中に強い衝撃を受けた場合には、網皿７及び網皿受け体６ａが移動し易く、化粧料ｋが流動攪拌されて流出する恐れが全くないとは言えず、特に、新品のコンパクト容器に品質保証のために網皿面に貼着されているバージンフィルム７ｃが剥がれる恐れがある。
【０００８】
【発明が解決しようとする課題】
本発明は、上記の問題点を解決すべく、パフへの粉末化粧料の付着量を一定にしたり、または、適量に調整できるようにするために、網皿の全面が常に粉末化粧料面に水平に接触したまま下降するようにして、パフを損ねることも無く、自然な使用感が得られる構造にすると共に、容器に対する不用意な衝撃等による網皿の移動を阻止するための簡単な網皿受け部材の保持構造を備えた化粧料容器を提供する。
【０００９】
【課題を解決するための手段】
容器本体の粉末化粧料を収容した中皿の内周面には、網皿受け部材を上下動可能に嵌合支持すると共に、該網皿受け部材にメッシュ体を張設した網皿支持体を係合して設けて、且つ、前記容器本体にヒンジを介して開閉可能に取り付けた蓋体の内側には、前記中皿と対向する面に網皿支持体を押圧する押圧部材を移動可能に支持した内蓋を設けてなる化粧料容器に於いて、中皿と網皿受け部材との間の摩擦抵抗を大きくして網皿受け部材の滑り止めとするために、網皿受け部材に舌片を設けるか、または、中皿の壁面に突起を設けることにより、衝撃等により網皿が移動するのを制止するように構成する。
このような構成としたことにより粉末化粧料を充填した容器本体に連結してなる前記蓋体を閉じた場合には、前記網皿受け部材が押圧部材により押圧されて、メッシュ体が化粧料面に平らに均一に接して保持された状態で、網皿受け部材を前記中皿の縁部で制止させるようにする。
【００１０】
【発明の実施の形態】
平面形状が小さな楕円形又は略長方形をして、やや深底の皿形状をした外殻体２の内部に、パフ４を収容するための概略Ｄ形をした有底の凹部３ａと粉末化粧料５を収容した中皿６を固定するための無底の円筒部３ｂとを設けた中枠体３を嵌合固定してなる容器本体Ａ（図２）の縁部に、ヒンジ部５ｅを介して開閉可能に蓋体Ｂを取り付けてなる粉末化粧用容器１に於いて、前記中皿６の上縁近くの壁面に適当な数の突起６ｃを形成して、該突起を含む内周面に環状の網皿受け部材６ａを嵌合して、該網皿受け部材６ａにメッシュ体７ｂを張設した網皿支持体７ａを係合して設ける（図３）と共に、前記蓋体Ｂの外蓋４の内側には、前記パフ収容凹部３ａと対向する面に鏡ｍを張設した平坦な天蓋部５ａと、前記中皿６収容部と対向する面に円筒状のメッシュ体を押圧する押圧部材８を移動可能に係合せしめて保持する円筒部５ｂとを設けた内蓋５を嵌合して固定し、前記円筒部５ｂには、外蓋４と押圧部材８との間に弾性反発部材９を圧縮して付勢可能に設けて粉末化粧用コンパクト容器１を構成する。
【００１１】
従って、前記網皿受け部材６ａは中皿の壁面に設けられた突起６ｃにより下降するのが制止されているので、容器が少々強い衝撃を受けたとしても、網皿７及網皿受け体６ａは摩擦保持されていて移動しにくい。
そして、上記のように構成した容器の蓋Ｂを閉じると前記弾性部材９が圧縮されて、押圧部材８に付勢力が作用して押圧面で前記網皿７及び支持体７ａが押圧されて、網皿受け部材６ａが下降してメッシュ体７ｂは化粧料面に平らに接した状態に保たれているので、蓋を開いて化粧をしようとする際には、網皿のどの部分の網目にも同じように化粧料が存在しているので、パフにはいつも同じ量の化粧量を付着させることができる。
【００１２】
【実施例】
以下、本発明の化粧用コンパクト容器を、一つの実施例に基づいて図面を参照しつつ説明する。
本発明の粉末化粧用コンパクト容器は、図１乃至図４に示すように、合成樹脂を用いて射出成形等により成形した容器本体Ａと蓋体Ｂとを、次のようにして構成されたものである。
本発明は図１及び２に示すように、容器本体Ａを構成する外殻体２は、平面の形状が概略小楕円形又は略長方形で、深底の皿状に成形され、且つ、その開口端部には平坦な周縁部２ａが、底面部には中枠体支持部２ｂが形成されている。
そして、前記外殻体２内には、右半分にパフｐを収容するための略Ｄ形をした有底の凹部３ａを、左半分に化粧料ｋを収容した中皿６を固定する無底の円筒部３ｂを形成した中枠体の周縁部に平坦な係合部３ｃと垂直な係合片３ｄとを形成して、前記周縁部に設けられた平坦な係合部３ｃと垂直な係合片３ｄとを前記外殻体２の開口周縁部２ａに係合せしめ、且つ、中枠体３の中皿を収容する前記円筒部３ｂの下端係合部３ｂを、外殻体２底面に設けた中枠体支持部２ｂに係合せしめて、中枠体３を外殻体２に嵌合固定して容器本体Ａを構成したことを基本形とする。
【００１３】
上記のような構成をした容器本体に於いて、網皿受け部材６ａの初期移動を制止するために、化粧料を収容する中皿６の縁部近くの壁面に複数の突起６ｃを形成して、該中皿６を前記中枠体３の円筒部３ｂに嵌合すると共にフランジ部６ｂを円筒部の周縁に係合して固定して、前記突起６ｃを形成した中皿の内周面に網皿受け部材６ａを嵌合し、該網皿受け部材の係合凹部にメッシュ体を張設した網皿７の支持体７ａの係合用突起部を係合せしめることにより本発明の容器本体Ａを構成する。（図２）
【００１４】
一方、前記容器本体Ａに設けた中枠体３のパフ収納凹部３ａと対向する面に形成した天蓋部５ａには鏡ｍを張設すると共に、前記中枠体３の中皿６と対向する面には押圧部材を収容する円筒部５ｂを形成してなる内蓋５を、ヒンジ部５ｅに軸孔５ｆを設けた外蓋４内に嵌合して蓋体Ｂを構成する。
そして、前記中蓋の円筒部５ｂ内に網皿７を押圧する円筒状をした押圧部材８を移動可能に係合せしめると共に、前記押圧部材８と外蓋４との間に弾性部材９を付勢可能に設けた蓋体Ｂを保持する円筒部５ｂを形成した内蓋５を、前記容器本体Ａの縁部にヒンジ部５ｅを介して連結して粉末化粧用コンパクト容器１を構成する。（図１）
【００１５】
更に、前記蓋体Ｂの円筒部５ｂの外周部の前記中皿６の平坦なフランジ部６ｂに対応する部分には、密閉用シール部材を保持するための凹溝５ｃが周設されていて、該凹溝内にはゴムその他の弾性材料からなるシール部材ｓが前記フランジ部６ｂに接して化粧料を密閉するように設けられている。
本発明の第１の実施例に於いては、押圧部材８を弾性部材９により付勢する構造は、図１に示すように、前記外蓋４と押圧部材８との間に、弾性部材としてスプリング９を円筒壁の保持溝８ａに圧縮可能に設けて構成した蓋体Ｂを容器本体Ａに開閉可能に連結したものである。
【００１６】
本発明は、このような構成としたことにより、中皿６に粉末状をした化粧料を充填し終わったら、網皿受け部材６ａを中皿内周面の突起６ｃ面上に嵌合すると共に、該受け部材６ａの係合凹部にメッシュ体を張設した網皿７の支持体７ａの係合突起部を係合せしめて網皿を固定して、該網皿７上に品質保証のためのバージンフィルム７ｃを貼って密閉したら、パフ収容凹部３ａにパフｐを収容した後、蓋体Ｂを本体Ａに対して閉じる方向へ回動すると、図７（Ａ）に示すように容器の開口部に設けたロック機構が働いて、中蓋５に設けた突起部５ｄが中枠３に設けた係合突起３ｆに掛止してロック部材１０により押圧されて、蓋体Ｂは容器本体Ａに対して閉じた状態に保持されるが、この時、網皿受け部材６ａは中皿６の内周面の突起部６ｃ面で制止された状態にあるので、網皿体が下降することはない。
【００１７】
上記した実施例に於いては、図３に示すように、網皿受け部材６ａの不用意な下降を制止するのに、中皿６の内周面に突起部６ｃを設けておいて、該突起部面に網皿受け部材６ａ表面が引っ掛かるように構成したものであるが、突起部６は内周面に環状に設けてもよいし、また、適当な間隔を置いて複数の突起を円周状に設けてもよい。
また本発明の他の実施例としては図４に示すように、網皿受け部材６ａの端部に外向きに開いた形状に舌片６ｄを設けて、該舌片部分が中皿のフランジ部６ｂで抵抗を受けるように嵌合せしめて、網皿受け部材６ａが下降するのを制止するように保持する構造とすることも可能であり、また、中皿６の突起部６ｃと網皿受け部材６ａの舌片６ｄとの両方を設けることも可能である。
【００１８】
上記したような構造をした蓋体Ｂを容器本体Ａに開閉自在に連結したコンパクト容器１にするには、図７（Ｂ）に示すように、蓋体の中蓋５の後端部に突出して形成されたヒンジ片５ｅを、容器本体の外殻体２の後縁部に形成したヒンジ受け凹部２ｃに係合せしめて、ヒンジ片に設けた軸孔５ｆにヒンジ受け凹部２ｃの壁面に形成した軸受け孔２ｅに軸ピン２ｄを挿通せしめると共に、前記軸孔５ｆ内に該軸ピン２ｄを貫通せしめて両者はされる。
このようにしたコンパクト容器１は蓋が閉じられているときは、図７（Ａ）に示すように、容器本体Ａを構成する中枠３の開口縁部に形成したロック部材１０を収容する凹部３ｅに掛止片１０ａを嵌合して設けられ、前記中枠の開口端部に形成した係合突起部３ｆの下面に、蓋体Ｂを構成する中蓋５の縁寄りに形成した係合突起部５ｄの上面が係合するように設けると共に、前記ロック部材１０には、中枠の係合突起部３ｆの下方に設けた傾斜面３ｇと中蓋の係合突起部５ｄの下端面との間にロック解除片１０ｂを係合してロックするようにロック機構が設けられている。
【００１９】
そして、前記掛止片１０ａの下面には、前記ロック部材１０が脱落しないように前記中枠の凹部３ｃに設けた溝部３ｈに係合せしめる抜止め突起１０ｃが形成されており、且つ、前記ロック解除片１０ｂの基部には可撓部分１０ｄが形成されている。
そこで、化粧をする際に蓋を開くには、ロック部材１０の前面を指先で押し込むと、ロック解除片１０ｂが中枠の係合突起部３ｆの傾斜面３ｇ上を滑って移動しながら中蓋５の係合突起部５ｄを上方へ押し上げられて、蓋体と容器本体との係合関係が開放されるので、バージンフィルム７ｃの端を指先で摘んで剥がすと網皿７が現れるので、指先で網皿受け部材６ａを押し込むと、メッシュ部分７ｂが化粧料ｋ面に接するので、パフｐにつけて化粧を行うことができる。
【００２０】
また、化粧を終えてから蓋を閉じる際には、蓋体Ｂを容器本体Ａ側へ力強く押しつけると、中蓋５に設けられた係合突起部５ｄの上端面が中枠３に設けられた係合突起部３ｆの下面に係合してロックされて、蓋体Ｂは容器本体Ａに密閉状態に掛止される。
このような開閉操作が行われると、弾性部材９は押圧部材８と外蓋Ｂとの間で圧縮されて付勢状態になる結果、押圧部材８の表面が網皿７の全面に接触して下方への押圧力が生じ、網皿受け部材６ａは中皿６の内周面に沿って下降するので、網皿７のメッシュ部分７ｂの全面が化粧料面に水平に接した状態に常に保持されることとなる。
【００２１】
上記した実施例に於いては、メッシュ体７ｂを支持体７ａに張設した網皿７を下方へ押下げる押圧部材８に対する押圧手段として、図１に示すように、渦巻きバネからなる弾性発条９を用いたものについて説明したが、本発明はこのようなバネに限られるものではなく、先に提案しているように、スポンジのような復元力の大きな発泡体を円筒状に形成した弾性部材を押圧部材８の底面に圧縮可能に固定したり、また、ゴム硬度が２０〜９５度のゴムを逆杯形に形成したゴム弾性体を圧縮可能に固定して、押圧力を発生させるようにすることも可能である。
また、容器本体１は、外殻体２とパフ及び中皿を収容する中枠３とを一体成形したものとすることが可能である。
【００２２】
【発明の効果】
以上述べたように、本発明の容器は、楕円形の深皿状をした容器本体内に収容した化粧料を充填した中皿の壁面に制止用の突起部を形成して、突起内周面上にメッシュ体を張設した網皿を着脱自在に嵌合して設けたことにより、容器の運搬中にも不用意に網皿が下降することがなくなり、製品の品質保証が一段と向上させることができる。
そして、蓋体に設けた押圧部材を弾性部材により網皿に対して上下動可能に設けたので、蓋が閉じられている時には押圧部材により網皿は、常に化粧料面に平坦になるように押圧されているので、容器の運搬中に化粧料が流動攪拌して流出することもなく、使用時にはパフに何時も一定量の化粧料を付着させることができる。
更に、網皿が着脱自在に設けてあるので、化粧量を使い尽くした場合には、化粧量の補充を容易に行うことが可能であり、また、網皿は全面が平らに化粧料面に接触しているので、網皿の一部が窪むように押圧されることもなく、網皿は痛みにくく、例え網皿が傷んだ場合にも、網皿を交換することが容易にできる。
【図面の簡単な説明】
【図１】本発明の第１実施例の図２のＸ−Ｘ断面を示した縦断面図である。
【図２】本発明の容器の本体部を示す平面図である。
【図３】本発明の第１実施例を示す図１に於けるＣ部分の拡大図である。
【図４】本発明の第２実施例を示す図１に於けるＣ部分の拡大図である。
【図５】本発明の先行発明を示す容器の断面図である。
【図６】先行発明を示す第５図に於けるＤ部分の拡大図である。
【図７（Ａ）】本発明の容器の開口部のロック機構を示す断面図である。
【図７（Ｂ）】本発明の容器の蓋のヒンジ連結部を示す断面図である。
【図８】網皿が降下可能な従来例を示した断面図である。
【符号の説明】
１    容器全体
２    外殻体
３    中枠体
４    外蓋
５    中蓋
６    中皿
６ａ  網皿受け部材
６ｂ  フランジ部
６ｃ  突起部
６ｄ  舌片
７    網皿
７ａ  網皿支持枠
７ｂ  メッシュ体
７ｃ  フィルム
８    押圧部材
９    弾性部材
１０  ロック部材
１１  可撓性突片
Ａ    容器本体部
Ｂ    蓋体
ｋ    化粧料
ｍ    鏡
ｐ    パフ
ｓ    シール部材
【図１】
0003702352.tif 000002
【図２】
0003702352.tif 000003
【図３】
0003702352.tif 000004
【図４】
0003702352.tif 000005
【図６】
0003702352.tif 000006
【図５】
0003702352.tif 000007
【図７】
0003702352.tif 000008
【図８】
0003702352.tif 000009